(57)【要約】【課題】巻き３つ折りをすることができ、かつ隠蔽した葉書紙片の開封検知機能を備えた隠蔽葉書シートを提供する。【解決手段】矩形シートを短辺と平行な２本の境界線１１，１２で３つの領域に区分して、中央に隠蔽紙片４を配置し、隠蔽紙片４の両側に第１葉書紙片５と第２葉書紙片６を連接する。また、隠蔽紙片４の片面に再剥離可能な粘着層２２を設け、第１葉書紙片５と第２葉書紙片６の外縁に強接着層２４を有する封緘部７，８を折り線１５，１６を介して設けるとともに、境界線１１，１２より内側に境界線と平行な一組の切り取り線１３，１４を形成する。さらに、第１葉書紙片５の幅Ｌ２と第２葉書紙片６の幅Ｌ３をそれぞれ隠蔽紙片４の幅Ｌ１よりも短く設定し、かつ、切り取り線１４から境界線１１までの幅Ｗ１を折り線１５から境界線１１までの幅Ｗ３よりも短く設定する。【選択図】図１
2010142993.tif 000002
【特許請求の範囲】
【請求項１】
矩形シートをその短辺と平行な２本の境界線で３つの領域に区分し、中央に隠蔽紙片を配置し、隠蔽紙片の両側に隠蔽紙片よりも幅の短い葉書紙片を連接した隠蔽葉書シートであって、
隠蔽紙片の片面に再剥離可能な粘着層を有し、葉書紙片の外縁に強接着層を有する封緘部が折り線を介して設けられ、境界線より内側に境界線と平行な一組の切り取り線を形成し、隠蔽紙片における一方側の切り取り線から他方側の境界線までの幅が、葉書紙片における折り線から境界線までの幅よりも短く設定されていることを特徴とする隠蔽葉書シート。
【請求項２】
葉書紙片における折り線から境界線までの幅が郵便葉書の短辺の最大値に設定されていることを特徴とする請求項１に記載の隠蔽葉書シート。
【請求項３】
矩形シートが２枚の用紙を貼り合わせた２層構造からなることを特徴とする請求項１又は２に記載の隠蔽葉書シート。
【請求項４】
少なくとも葉書紙片について通信面側の用紙が感圧複写用紙であることを特徴とする請求項３に記載の隠蔽葉書シート。
【発明の詳細な説明】
【技術分野】
【０００１】
本発明は、葉書の通信面に記入した情報を隠蔽した状態で郵送するための隠蔽葉書シートに関する。
【背景技術】
【０００２】
従来、口座振替依頼書やクレジットカード払い申込書などのように、個人情報を記入して郵送する場合には、隠蔽葉書を使用して個人情報を隠蔽した状態で郵送するようにしている（例えば下記の特許文献１を参照）。特許文献１の隠蔽葉書シートは、図１１に示すように、再剥離糊を塗布した隠蔽紙片を中央に配置し、隠蔽紙片の両側に折り兼切りミシン目を介して葉書紙片を並べて配置して、１枚のシートに２種類の申込書を設けた仕様である。この隠蔽葉書シートを使用する際には、２種類の申込書のうちの一方を選択して必要事項を記入し、不要な方の申込書を折り兼切りミシン目で切り離す。その後、図１１（ｂ）のように、隠蔽紙片と葉書紙片を折り重ねて接着して郵送するようになっている。
【０００３】
ところが、特許文献１の隠蔽葉書シートによると、葉書紙片の上に隠蔽紙片を貼り合わせた後でも隠蔽紙片を剥がして元通りに貼り直すことができるため、郵送途中に開封されたかどうかの判別ができないという問題がある。また、この隠蔽葉書シートには「郵便はがき」等の文字からなる郵便表示部が設けられており、中央の隠蔽紙片とその両隣の郵便表示部２箇所を合わせた幅が両側の葉書紙片の幅よりも長い。このため３つの紙片の紙幅が異なるので、図１１（ｃ）のように隠蔽葉書シートを巻き３つ折りしたときに紙片の端が揃わず、シートがミシン目以外の部分で折れ曲がったりしないように注意する必要がある。しかも、郵便法において郵便葉書（私製葉書）の最大幅は１０７ｍｍに規定されているため、郵便表示部を設けると、隠蔽紙片によって隠蔽できる葉書紙片の情報欄の幅が１０７ｍｍよりも短くなってしまう。
【０００４】
これに対して、図１２に示すように封緘部を設けた仕様の隠蔽葉書シートも考えられる。この隠蔽葉書シートは、再剥離糊を塗布した隠蔽紙片を中央に配置し、隠蔽紙片の両側に折り兼切りミシン目を介して葉書紙片を並べて配置するとともに、葉書紙片の外縁に強接着剤を塗布した封緘部が折りミシン目を介して設けられている。この隠蔽葉書シートを使用する際には、２種類の申込書のうちの一方を選択して必要事項を記入し、不要な方の申込書を折り兼切りミシン目で切り離す。その後、図１２（ｂ）のように折り兼切りミシン目で折り畳んだ隠蔽紙片を葉書紙片の上に貼り合わせ、最後に封緘部を折りミシン目で折り返して接着するようになっている。
【０００５】
このように封緘部を設けた隠蔽葉書シートによれば、封緘部に強接着剤を使用することにより、開封時に封緘部と葉書紙片との間の折りミシン目が破壊されて開封検知機能を持たせることができ、そのうえ隠蔽紙片によって隠蔽される葉書紙片の情報欄の幅を最大幅の１０７ｍｍまで確保することができる。しかしながら、この構造の場合、封緘部の分だけ葉書紙片の両端を長く設定しなければならず、中央の隠蔽紙片の幅に比べて両側の葉書紙片の幅が長くなる。このため３つの紙片の紙幅が異なるので、図１２（ｃ）のように隠蔽葉書シートを折り畳んだときに葉書紙片の端が隠蔽紙片の端から飛び出てしまい、巻き３つ折りをすることができなくなるという問題がある。
【０００６】
【特許文献１】特開２００５−１８６４９８号公報
【発明の開示】
【発明が解決しようとする課題】
【０００７】
本発明は、上記のような問題を解決するためになされたものであり、その目的とするところは、巻き３つ折りをすることができ、かつ隠蔽した葉書紙片の開封検知機能を備えた隠蔽葉書シートを提供することにある。
【課題を解決するための手段】
【０００８】
上記の目的を達成するため、本発明は、矩形シートをその短辺と平行な２本の境界線で３つの領域に区分し、中央に隠蔽紙片を配置し、隠蔽紙片の両側に隠蔽紙片よりも幅の短い葉書紙片を連接した隠蔽葉書シートであって、隠蔽紙片の片面に再剥離可能な粘着層を有し、葉書紙片の外縁に強接着層を有する封緘部が折り線を介して設けられ、境界線より内側に境界線と平行な一組の切り取り線を形成し、隠蔽紙片における一方側の切り取り線から他方側の境界線までの幅が、葉書紙片における折り線から境界線までの幅よりも短く設定されていることを特徴とする。
【０００９】
本発明の隠蔽葉書シートを使用する際には、まず葉書紙片の一方に情報を記入し、他方の葉書紙片を切り取り線で切り離し、隠蔽葉書シートから分離する。次に、隠蔽紙片を境界線で折り畳み、粘着層を介して葉書紙片の上に貼り合わせる。最後に封緘部を折り線で折り返し、強接着層を介して隠蔽紙片の上に接着して封緘する。これにより、葉書紙片に記入した情報を隠蔽した隠蔽葉書として郵送することができる。また、開封時には、隠蔽葉書の境界線を切断し、隠蔽紙片を剥がすことによって、葉書紙片に記入された情報を確認することができる。
【００１０】
また、上記の構成の隠蔽葉書シートにおいて、葉書紙片における折り線から境界線までの幅が郵便葉書の短辺の最大値に設定されていると、隠蔽できる葉書紙片の面積を最大限に確保することができる。
【００１１】
また、上記の構成の隠蔽葉書シートにおいて、矩形シートが２枚の用紙を貼り合わせた２層構造からなるようにしても良い。この場合、少なくとも葉書紙片について通信面側の用紙が感圧複写用紙であると、感圧複写用紙に記入した情報を控えとして保管しておくことができるので好ましい。
【発明の効果】
【００１２】
本発明によれば、葉書紙片の幅が隠蔽紙片の幅よりも短く設定されており、隠蔽葉書シートを境界線に沿って折り畳むと、葉書紙片の端が隠蔽紙片の縁より内側に揃うため、綺麗に巻き３つ折りすることができる。また、隠蔽葉書を作成した後、隠蔽紙片を剥がすと境界線を切断した跡が残るので、葉書紙片や隠蔽紙片に残った切断痕を見れば郵送途中に開封されたかどうかを判別することができる。
【発明を実施するための最良の形態】
【００１３】
以下、本発明の実施の形態について、図面を参照しながら説明する。
【００１４】
------  隠蔽葉書シートの構成  --------------------------------------------------
図１は本発明の隠蔽葉書シート１を表側から見た外観図である。図１に示すように、本実施形態の隠蔽葉書シート１は、２通の葉書を一体化し、いずれか一方の葉書の通信面に記入した情報を隠蔽して郵送できるようにしたものであり、全体が矩形状のシートにより構成されている。この矩形シートは同じサイズの２枚の用紙（上紙２と下紙３）を重ねて貼り合わせた２層構造になっており、本実施形態の上紙２と下紙３は、２枚で葉書本体の規定連量の２ｇ以上を満たすように、それぞれ連量１１０ｋｇの上質紙を使用したものである。
【００１５】
上紙２と下紙３からなる矩形シートは、短辺と平行な２本の境界線１１，１２によって３つの領域に区分されている。境界線１１，１２は矩形シートを折り畳んだり開封したりすることができるように折り兼開封線になっており、本実施形態では略Ｌ字形のカット部を連続して形成した開封ミシン目で構成されている。３区分された矩形シートには中央に隠蔽紙片４が配置され、隠蔽紙片４の両側に境界線１１，１２を介して２種類の葉書紙片５，６が連接されている。なお、以下の説明では便宜上、矩形シートを表側から見たときに隠蔽紙片４の右側に隣接した葉書紙片５を「第１葉書紙片」といい、隠蔽紙片４の左側に隣接した葉書紙片６を「第２葉書紙片」という。
【００１６】
隠蔽紙片４は矩形シートの表側に隠蔽層２１を設けたものである。隠蔽層２１は上紙２の表面に透過防止加工として黒色、銀色、紺色等の濃色系の印刷インキで全面印刷を施すか、あるいは地紋等の部分印刷を施すことにより構成されている。隠蔽紙片４には境界線１１，１２より内側に境界線と平行な一組の切り取り線１３，１４が形成されている。切り取り線１３，１４は矩形シートから第１葉書紙片５または第２葉書紙片６を分離することができるようにカット加工したものであり、本実施形態ではカット部とタイ部のピッチを細かく設定したマイクロミシン目で構成されている。
【００１７】
第１葉書紙片５では上紙２の表面が葉書本体の宛名面になっている。この宛名面には葉書本体であることを示す「郵便はがき」の文字からなる郵便表示部３２と、郵便料金支払い済みであることを示す料額印面３３と、受取人の宛先３４と、金融機関宛の約定３５があらかじめ印刷表示されている。また、第２葉書紙片６では上紙２の表面が葉書本体の宛名面になっている。この宛名面には第１葉書紙片５と同様に、郵便表示部３２と、料額印面３３と、宛先３４があらかじめ印刷表示されている。なお、矩形シートは２枚の上質紙を重ねて貼り合わせてあるので、段差による紙詰まりが起こらず、良好な印刷処理が可能である。
【００１８】
図２は隠蔽葉書シート１を裏側から見た外観図である。図２に示すように、隠蔽葉書シート１の裏面には隠蔽紙片４の両側に２種類の申込書が設けられている。なお、本実施形態では、利用者が電気料金の支払い方法を口座振替とクレジットカード払いのどちらにするのかを選んで申し込むための申込書に適用した例を示している。
【００１９】
隠蔽紙片４には下紙３の裏面に使用方法３１が表示されている。本実施形態では、その表示例として申込書の記入方法と記入例があらかじめ印刷されている。なお、隠蔽紙片４において、境界線１１，１２の開始位置には開封ミシン目の端部を三角形に切り落としたコーナーカット１７，１７が形成されている。
【００２０】
第１葉書紙片５では下紙３の裏面が葉書本体の通信面になっている。この通信面には口座振替依頼書が設けられており、具体的には契約番号や電気使用場所を記入する情報記入欄３６と、申込者の指定金融機関や口座番号を記入する情報記入欄３７が印刷表示されている。また、第１葉書紙片５の外縁には折り線１５を介して封緘部７が設けられている。折り線１５は、封緘部７を折り畳み易くするためにプレス加工したものであり、カット部とタイ部のピッチを細かく設定したマイクロミシン目で構成されている。
【００２１】
第２葉書紙片６では下紙３の裏面が葉書本体の通信面になっている。この通信面にはクレジットカード支払い申込書が設けられており、具体的には申込者のクレジットカード番号や有効期限を記入する情報記入欄３８と、契約番号や電気使用場所を記入する情報記入欄３９が印刷表示されている。第２葉書紙片６の外縁にも第１葉書紙片５と同様に、マイクロミシン目を印刷した折り線１６を介して封緘部８が設けられている。
【００２２】
ここで、図１に示すように、隠蔽紙片４と第１葉書紙片５と第２葉書紙片６はそれぞれ下記の条件１と条件２を共に満足するサイズに設計されている。
【００２３】
（条件１）巻き３つ折りができるように、Ｌ１＞Ｌ２（Ｌ３）であること
３つの紙片が厳密に３等分されていると、巻き３つ折り時に折り畳み難くなる。したがって、第１葉書紙片５の幅Ｌ２と第２葉書紙片６の幅Ｌ３をそれぞれ隠蔽紙片４の幅Ｌ１よりも数ｍｍ程度短く設定する必要がある。本実施形態では、Ｌ１＝１１５ｍｍ、Ｌ２＝１１４ｍｍ、Ｌ３＝１１４ｍｍに設定されている。
【００２４】
（条件２）折り返し封緘ができるように、Ｗ３＞Ｗ１（Ｗ４＞Ｗ２）であること
第１葉書紙片５と第２葉書紙片６のいずれか一方を切り離した時に、残りの葉書紙片の幅と隠蔽紙片４の幅が等しいと折り線１５（１６）でうまく折れず、折り返して封緘し難くなる。したがって、隠蔽紙片４における切り取り線１４から境界線１１までの幅Ｗ１を、隣接する第１葉書紙片５における折り線１５から境界線１１までの幅Ｗ３よりも数ｍｍ程度短く設定する必要がある。また同様に、切り取り線１３から境界線１２までの幅Ｗ２を、折り線１６から境界線１２までの幅Ｗ４よりも数ｍｍ程度短く設定する必要がある。本実施形態では、Ｗ１＝１０３ｍｍ、Ｗ２＝１０３ｍｍ、Ｗ３＝１０４ｍｍ、Ｗ４＝１０４ｍｍに設定されている。
【００２５】
また、上記の条件１と条件２を満たすように考慮すると、封緘部７の幅Ｗ５（または封緘部８の幅Ｗ７）と、境界線１１から切り取り線１３までの幅Ｗ６（または境界線１２から切り取り線１４までの幅Ｗ８）もそれに伴って変動する。本実施形態では、Ｗ５＝１０ｍｍ、Ｗ６＝１２ｍｍ、Ｗ７＝１０ｍｍ、Ｗ８＝１２ｍｍに設定されている。
【００２６】
なお、Ｗ３とＷ４を郵便葉書（私製葉書）の短辺の最大値である１０７ｍｍに設定すれば、第１葉書紙片５と第２葉書紙片６について隠蔽できる面積を最大限に確保することができる。本実施形態ではＷ３とＷ４を１０４ｍｍに設定しているが、その理由は巻き３つ折りした隠蔽葉書シート１を定形封筒の中に入れる際の作業性を考慮したことによる。すなわち、Ｗ３とＷ４を１０７ｍｍに設定した場合、封緘部７の幅Ｗ５（または封緘部８の幅Ｗ７）を１０ｍｍにするとＬ１が１１８ｍｍとなって定形封筒（幅１２０ｍｍ）の中に入れることが困難になる。そこで、本実施形態では余裕を持たせるためにＬ１を１１５ｍｍに設定し、Ｗ３とＷ４をそれよりも短い１１４ｍｍに設定した。
【００２７】
図３は隠蔽葉書シート１の断面図である。隠蔽葉書シート１の層間構造は図３に示すようになっており、中央の隠蔽紙片４に相当する部分では、上紙２の裏面に粘着剤を塗布した粘着層２２が設けられ、これと対向する下紙３の表面にシリコーン系剥離剤を塗布した剥離層２３が設けられている。これにより、隠蔽紙片４では上紙２と下紙３が粘着層２２と剥離層２３の境界面を介して剥離可能に接着されている。粘着剤は例えばアクリル酸エステル共重合体からなる再剥離糊を使用することができ、その接着力は葉書紙片５，６に再剥離可能に接着し、剥がした後の紙面に糊残りしない程度とされ、具体的な基準としては３００ｇｆ／２５ｍｍ（ＪＩＳ  Ｚ０２３７準拠の１８０°剥離法）未満に設定されていれば良い。なお、境界線１１，１２と切り取り線１３，１４の周辺部には、切り取り易さを考慮して粘着剤を塗布していない。
【００２８】
第１葉書紙片５と第２葉書紙片６に相当する部分では、上紙２の裏面に強接着剤を塗布した強接着層２４が設けられており、この強接着層２４によって上紙２と下紙３が剥離不能に完全接着されている。また、外縁にある封緘部７，８に相当する部分では、上紙２の裏面に同じく強接着剤を塗布した強接着層２４が設けられ、これと対向する下紙３の表面にシリコーン系剥離剤を塗布した剥離層２５が設けられている。これにより、封緘部７，８では上紙２と下紙３が強接着層２４と剥離層２５の境界面を介して剥離可能に接着されている。強接着剤は例えばアクリル系エマルジョン型粘着剤を使用することができ、その接着力は隠蔽紙片４に再剥離不能に接着し、剥がそうとすると紙面に紙破壊が起こる程度とされ、具体的な基準としては３００ｇｆ／２５ｍｍ（同上）以上に設定されている必要がある。なお、折り線１５，１６の周辺部には、折り畳み易さを考慮して強接着剤を塗布していない。
【００２９】
------  隠蔽葉書シートの使用方法  ----------------------------------------------
本発明の隠蔽葉書シート１は以上のように構成されており、以下その使用方法について説明する。図４に示すように、この隠蔽葉書シート１によれば、矩形シートの短辺が２本の境界線１１，１２によって３区分されており、第１葉書紙片５の幅Ｌ２と第２葉書紙片６の幅Ｌ３が共に隠蔽紙片４の幅Ｌ１よりも若干短く設定されている。このため、図のように隠蔽葉書シート１を境界線１１，１２の開封ミシン目で折り畳むと、第１葉書紙片５の端と第２葉書紙片６の端がそれぞれ隠蔽紙片４の縁よりも内側に揃うので、途中で折れ曲がることがなく綺麗に巻き３つ折りすることができる。したがって、業者が利用者に申込書を送付する際に、巻き３つ折りした隠蔽葉書シート１を定形封筒に入れて郵送することができる。
【００３０】
これに対して利用者は、図５に示すように、隠蔽紙片４に表示された使用方法を見ながら申込書に必要事項を記入して返送する。例えば電気料金の支払い方法を口座振替にしたい場合には、第１葉書紙片（口座振替依頼書）５の情報記入欄３６，３７に、契約番号、名義人の住所、氏名、連絡先のほか、指定金融機関と口座番号を記入し、金融機関への届出印を捺印する。そして、必要事項の記入がすべて終わったら、不要になった方の申込書を隠蔽葉書シート１から切り離す。ここでは、第２葉書紙片（クレジットカード支払い申込書）６が不要なので、隠蔽紙片４と第２葉書紙片６の間にある切り取り線１４を切断することによって、第２葉書紙片６を隠蔽葉書シート１から分離する。
【００３１】
次に、隠蔽葉書を作成して郵送する。図６に示すように、隠蔽紙片４の端部のコーナーカット１７を摘んで引き剥がすと、隠蔽紙片４のうち下紙３が隠蔽葉書シート１から剥離され、隠蔽紙片４の上紙２裏面に塗布された粘着層２２が現れる。
【００３２】
そして、図７に示すように、境界線１１を谷折りで折り畳むと、上紙２裏面の粘着層２２によって隠蔽紙片４が第１葉書紙片５の上に貼り合わされ、第１葉書紙片５の情報記入欄３６，３７に記入された情報が隠蔽紙片４によって隠蔽される。また、第１葉書紙片５の外縁に設けられた封緘部７を剥がすと、封緘部７のうち下紙３が折り線１５を介して隠蔽葉書シート１から剥離され、封緘部７の上紙２裏面に塗布された強接着層２４が現れる。そして、折り線１５のマイクロミシン目を折り返すと、上紙２裏面の強接着層２４によって封緘部７が隠蔽紙片４に接着して封緘される。これにより、第１葉書紙片５の情報記入欄３６，３７を隠蔽紙片４で覆った隠蔽葉書９が完成し、個人情報を保護した状態で郵送することができる。
【００３３】
最後に、郵送された隠蔽葉書９を受け取った業者は、隠蔽葉書９を開封する。図８に示すように、隠蔽紙片４の端部にはコーナーカット１７が設けられており、このコーナーカット１７を摘んで引き剥がすと、これに繋がった境界線１１の開封ミシン目が切断され、隠蔽紙片４が第１葉書紙片５から剥がされて開封される。ここで、隠蔽紙片４と第１葉書紙片５は再剥離可能な粘着層２２を介して接着されているので、開封するときに隠蔽紙片４を軽い力で剥がすことができ、しかも第１葉書紙片５の紙面に糊残りすることはない。このように隠蔽葉書９を開封することにより、隠蔽された第１葉書紙片５の紙面が現れて、情報記入欄３６，３７に記入された必要事項を確認することができる。また、隠蔽紙片４を剥がすと、境界線１１の開封ミシン目を切断した後に図のような凹凸の切断痕１８が残るので、隠蔽紙片４や第１葉書紙片５に残った切断痕１８を見れば郵送途中に開封されたかどうかを判別することができる。
【００３４】
------  変形例  ----------------------------------------------------------------
上述した実施形態では、第１葉書紙片５と第２葉書紙片６について、上紙２と下紙３を強接着層２４で完全接着した構造を採用したが、これに代えて、図９や図１０に示すように通信面側の用紙を感圧複写用紙にすることもできる。
【００３５】
図９に示す隠蔽葉書シート１は、第１葉書紙片５と第２葉書紙片６についてカーボン複写式の複写構造を採用したものであり、下紙３の表面に黒色のカーボンインキをスポット印刷した複写層２６が設けられており、これと対向する上紙２の裏面に情報複写欄が設けられている。その他の構造は上述した実施形態と同じである。このようなカーボン複写構造によると、下紙３の裏面に設けられた情報記入欄に必要事項を記入すると、その筆圧によって複写層２６のカーボンインキが剥離して上紙２裏面の情報複写欄に付着し、情報記入欄に記入した必要事項が情報複写欄に複写される。したがって、申込者は、必要事項を記入した後で下紙３を剥がし取れば、これを申込書の控えとして保管することができる。
【００３６】
また、図９のようなカーボン複写式の複写構造に代えて、図１０のようなノーカーボン複写構造を採用しても良い。図１０に示す隠蔽葉書シート１は、第１葉書紙片５と第２葉書紙片６について、下紙３の表面に発色剤含有のマイクロカプセルを塗布した発色剤層２７が設けられ、これと対向する上紙２の裏面に発色剤と反応する顕色剤を塗布した顕色剤層２８によって情報複写欄が形成されている。その他の構造は上述した実施形態と同じである。このようなノーカーボン複写構造によっても、図９の隠蔽葉書シート１と同様な効果が得られる。
【００３７】
なお、図示しないが、第１葉書紙片５と第２葉書紙片６の外縁に設けられた封緘部７，８について、強接着剤を塗布した強接着層２４に代えて、接着強度が高い両面接着テープを利用しても良い。
【図面の簡単な説明】
【００３８】
【図１】本発明の隠蔽葉書シートを表側から見た外観図。
【図２】本発明の隠蔽葉書シートを裏側から見た外観図。
【図３】図１の隠蔽葉書シートのＡ−Ａ線断面図。
【図４】本発明の隠蔽葉書シートを巻き３つ折りした状態を示す説明図。
【図５】本発明の隠蔽葉書シートから第２葉書紙片を分離した状態を示す説明図。
【図６】本発明の隠蔽葉書シートから隠蔽紙片の裏面を剥離した状態を示す説明図。
【図７】本発明の隠蔽葉書シートを封緘した状態を示す説明図。
【図８】本発明の隠蔽葉書シートを開封した状態を示す説明図。
【図９】本発明の隠蔽葉書シートの他の構成例を示す断面図。
【図１０】本発明の隠蔽葉書シートの更に他の構成例を示す断面図。
【図１１】従来の隠蔽葉書シートの一例を示す説明図。
【図１２】従来の隠蔽葉書シートの他の例を示す説明図。
【符号の説明】
【００３９】
１  隠蔽葉書シート
２  上紙
３  下紙
４  隠蔽紙片
５  第１葉書紙片
６  第２葉書紙片
７  封緘部
８  封緘部
９  隠蔽葉書
１１  境界線
１２  境界線
１３  切り取り線
１４  切り取り線
１５  折り線
１６  折り線
１７  コーナーカット
１８  切断痕
２１  隠蔽層
２２  粘着層
２３  剥離層
２４  強接着層
２５  剥離層
２６  複写層
２７  発色剤層
２８  顕色剤層
【図１】
2010142993.tif 000003
【図２】
2010142993.tif 000004
【図３】
2010142993.tif 000005
【図４】
2010142993.tif 000006
【図５】
2010142993.tif 000007
【図６】
2010142993.tif 000008
【図７】
2010142993.tif 000009
【図８】
2010142993.tif 000010
【図９】
2010142993.tif 000011
【図１０】
2010142993.tif 000012
【図１１】
2010142993.tif 000013
【図１２】
2010142993.tif 000014